(57)【要約】【課題】使用者の労力の軽減化を図ると共に、使用勝手の向上を図る。【解決手段】本発明は、棒状の操作部材３と、操作部材３の下端に設けられる棒状の伸縮部材４と、伸縮部材４を操作部材３に対して伸縮可能且つ回転可能に連結するために設けられる接続部材と、操作部材３に対する伸縮部材４の伸縮動作及び回転動作を拘束又は許容するために設けられる固定部材８と、伸縮部材４と共に水平回転可能に設けられる円盤状のヘッド保持部材５と、ヘッド保持部材５に着脱自在に設けられるヘッドと、該ヘッドに取り付けられる繊維束６と、を有するモップ１と、貯水可能なバケツ本体９と、バケツ本体９の底部に突設される水平回転可能な回転軸１０と、バケツ本体９の底部に設けられる水平回転可能な水切り籠１１と、を有する水切りバケツ２と、を備えていることを特徴とする。【選択図】図３
2012081209.tif 000002
【特許請求の範囲】
【請求項１】
把持部が設けられる棒状の操作部材と、該操作部材の下端に設けられる棒状の伸縮部材と、該伸縮部材を前記操作部材に対して伸縮可能且つ回転可能に連結するために設けられる接続部材と、前記操作部材に対する前記伸縮部材の伸縮動作及び回転動作を拘束又は許容するために設けられる固定部材と、前記伸縮部材の下端において該伸縮部材と共に水平回転可能に設けられる円盤状のヘッド保持部材と、前記ヘッド保持部材に着脱自在に設けられるヘッドと、該ヘッドに取り付けられる繊維束と、を有するモップと、
貯水可能なバケツ本体と、前記モップの下端部が嵌合可能なように前記バケツ本体の底部に突設される水平回転可能な回転軸と、前記ヘッドに取り付けられた繊維束を収容可能なように前記バケツ本体の底部に設けられる水平回転可能な水切り籠と、を有する水切りバケツと、
を備え、
前記モップの下端部を前記回転軸に嵌合させた状態で前記操作部材を押下させると、前記伸縮部材が収縮しながら回転し、これに伴って、前記回転軸が前記ヘッドに取り付けられた繊維束と共に水平回転し、
前記ヘッドに取り付けられた繊維束を前記水切り籠に収容させた状態で前記操作部材を押下させると、前記伸縮部材が収縮しながら回転し、これに伴って、前記水切り籠が前記ヘッドに取り付けられた繊維束と共に水平回転することを特徴とする清掃用具。
【発明の詳細な説明】
【技術分野】
【０００１】
本発明は、床等を清掃する際に使用されるモップと該モップの水切りバケツとを備えた清掃用具に関するものである。
【背景技術】
【０００２】
従来、床等を清掃する際にモップを使用している。このモップは、長い柄の下端に吸水性の良い繊維束を保持するヘッドを備えており、床等を清掃する際、このヘッドに保持された繊維束を、バケツ内の水に浸し、床等に擦り付けた後、再度水に浸して洗浄し、手で絞るようになっている。
【０００３】
また、最近では、この清掃後のヘッドの繊維束の絞り作業の簡素化を図るため、バケツ内に水切り籠を設置し、清掃後は、水に浸して洗浄したヘッドをこの水切り籠に入れ、足踏み板を踏んでこの水切り籠及びヘッドを回転させることによって、ヘッドの繊維束を絞るように構成したモップ及び水切りバケツのセット組も提案されている。（例えば、特許文献１参照）。
【先行技術文献】
【特許文献】
【０００４】
【特許文献１】実用新案登録第３１４７７７２号公報
【発明の概要】
【発明が解決しようとする課題】
【０００５】
しかしながら、上記した従来のモップ及び水切りバケツのセット組では、モップのヘッドの繊維束を絞る際に、足踏み板を踏み込む動作を行う必要があるため、使用者の足が疲労し、労力の軽減化が図り難いと共に、使用勝手の向上が図り難いといった問題があった。
【０００６】
本発明は、上記した課題を解決すべくなされたものであり、使用者の労力の軽減化を図ると共に、使用勝手の向上を図ることのできる清掃用具を提供することを目的とするものである。
【課題を解決するための手段】
【０００７】
上記した目的を達成するため、本発明に係る清掃用具は、把持部が設けられる棒状の操作部材と、該操作部材の下端に設けられる棒状の伸縮部材と、該伸縮部材を前記操作部材に対して伸縮可能且つ回転可能に連結するために設けられる接続部材と、前記操作部材に対する前記伸縮部材の伸縮動作及び回転動作を拘束又は許容するために設けられる固定部材と、前記伸縮部材の下端において該伸縮部材と共に水平回転可能に設けられる円盤状のヘッド保持部材と、前記ヘッド保持部材に着脱自在に設けられるヘッドと、該ヘッドに取り付けられる繊維束と、を有するモップと、貯水可能なバケツ本体と、前記モップの下端部が嵌合可能なように前記バケツ本体の底部に突設される水平回転可能な回転軸と、前記ヘッドに取り付けられた繊維束を収容可能なように前記バケツ本体の底部に設けられる水平回転可能な水切り籠と、を有する水切りバケツと、を備え、前記モップの下端部を前記回転軸に嵌合させた状態で前記操作部材を押下させると、前記伸縮部材が収縮しながら回転し、これに伴って、前記回転軸が前記ヘッドに取り付けられた繊維束と共に水平回転し、前記ヘッドに取り付けられた繊維束を前記水切り籠に収容させた状態で前記操作部材を押下させると、前記伸縮部材が収縮しながら回転し、これに伴って、前記水切り籠が前記ヘッドに取り付けられた繊維束と共に水平回転することを特徴とする。
【発明の効果】
【０００８】
本発明によれば、使用者の労力の軽減化を図ると共に、使用勝手の向上を図ることができる等、種々の効果を得ることができる。
【図面の簡単な説明】
【０００９】
【図１】本発明の実施の形態に係る清掃用具のモップを示す斜視図である。
【図２】本発明の実施の形態に係る清掃用具の水切りバケツを示す斜視図である。
【図３】本発明の実施の形態に係る清掃用具においてモップヘッドの繊維束を洗浄する方法を示す斜視図である。
【図４】本発明の実施の形態に係る清掃用具においてモップヘッドの繊維束を絞る方法を示す斜視図である。
【発明を実施するための形態】
【００１０】
以下、図面を参照しつつ、本発明の実施の形態について説明する。ここで、図１は本発明の実施の形態に係る清掃用具のモップを示す斜視図、図２は本発明の実施の形態に係る清掃用具の水切りバケツを示す斜視図である。
【００１１】
図１に示されているように、本発明の実施の形態に係る清掃用具は、モップ１と、モップ１を洗浄及び水切りするための水切りバケツ２とにより構成されている。
【００１２】
図１に良く示されているように、モップ１は、中空棒状の操作部材３と、操作部材３の下端に連結される中空棒状の伸縮部材４と、伸縮部材４の下端に取り付けられる円盤状のヘッド保持部材５と、ヘッド保持部材５に着脱自在に設けられる繊維束６と、を備えて構成されている。
【００１３】
操作部材３は、ステンレス製であり、上側部分３ａと、上側部分３ａにネジ込み接続される下側部分３ｂとに二分割されており、上側部分３ａには樹脂製の把持部７が設けられている。また、伸縮部材４は、ステンレス製であり、操作部材３より小径に形成されている。
【００１４】
操作部材３と伸縮部材４との間には、伸縮部材４を操作部材３に対して伸縮可能且つ回転可能に連結する接続部材（図示省略）が設けられていると共に、操作部材３に対する伸縮部材４の伸縮動作及び回転動作を拘束又は許容する固定部材８が設けられており、固定部材８を上側に倒すと操作部材３に対する伸縮部材４の伸縮動作及び回転動作が拘束され、固定部材８を下側に倒すと操作部材３に対する伸縮部材４の伸縮動作及び回転動作が許容されるようになっている。
【００１５】
ヘッド保持部材５は、伸縮部材４に対して傾倒可能に枢設され、ヘッド保持部材５の下面側中心部には円形の凹部（図示省略）が形成されている。また、ヘッド保持部材５の下面には、繊維束６が円環状のヘッド（図示省略）に固定された状態で嵌脱自在に設けられており、繊維束６は吸水性の良いマイクロファイバーにより形成されている。
【００１６】
図２に良く示されているように、水切りバケツ２は、樹脂製であり、貯水可能なバケツ本体９と、バケツ本体９の底部に突設される水平回転可能な回転軸１０と、回転軸１０に隣接してバケツ本体９の底部に設けられる水平回転可能な水切り籠１１と、を備えて構成されている。
【００１７】
バケツ本体９は、平面視で略長円形状に形成されており、その周壁１２の上部には、長手方向の互いに対向する位置に把手１３が取り付けられている。また、バケツ本体９の内部には、モップ洗浄空間１４とモップ水切り空間１５とが隣接して形成されており、モップ洗浄空間１４を臨む周壁１２の上部には外側に僅かに突出するように湾曲部１６が形成されている。
【００１８】
回転軸１０はモップ洗浄空間１４側に設けられ、回転軸１０の上端部は、モップ１の下端部の前記凹部に嵌合可能なように形成されている。また、水切り籠１１は、前記ヘッドに固定された繊維束６を収容可能なように形成され、一方向へのみ水平回転可能となっている。
【００１９】
次に、図面を参照しつつ、上記した構成を備えた清掃用具の使用方法について説明する。ここで、図３は本発明の実施の形態に係る清掃用具においてモップヘッドの繊維束を洗浄する方法を示す斜視図、図４は本発明の実施の形態に係る清掃用具においてモップヘッドの繊維束を絞る方法を示す斜視図である。
【００２０】
先ず、固定部材８を上側に倒した状態で、モップ１のヘッド保持部材５に取り付けられた繊維束６を、バケツ本体９のモップ洗浄空間１４内の水に浸し、湾曲部１６に軽く押し当てて余分な水を切った後、操作部材３の把持部７を持って繊維束６を床等に擦り付けて清掃する。
【００２１】
清掃後、図３に示されているように、モップ１をバケツ本体９のモップ洗浄空間１４内の水に再度浸し、固定部材８を下側に倒すと共にモップ１の下端部の前記凹部に回転軸１０の上端部を嵌合させた状態で、操作部材３を押下させると、伸縮部材４が収縮しながら一方向に回転し、これに伴って、回転軸１０がヘッド保持部材５に取り付けられた汚れた繊維束６と共に前記一方向に水平回転する。
【００２２】
その後、固定部材８を下側に倒したまま、モップ１の下端部の前記凹部に回転軸１０の上端部を嵌合させた状態で、操作部材３を持ち上げると、伸縮部材４が無回転のまま伸長する。この伸長状態で、再度、操作部材３を押下させると、上記した動作が繰り返され、これにより、汚れた繊維束６はきれいに洗浄される。
【００２３】
このように繊維束６を洗浄した後、図４に示されているように、モップ１をバケツ本体９のモップ水切り空間１５に移動させ、固定部材８を下側に倒したまま、ヘッド保持部材５及び繊維束６を水切り籠１１に収容させた状態で、操作部材３を押下させると、伸縮部材４が収縮しながら一方向に回転し、これに伴って、水切り籠１１がヘッド保持部材５に取り付けられた繊維束６と共に前記一方向に水平回転する。
【００２４】
その後、固定部材８を下側に倒したまま、モップ１の下端部の前記凹部に回転軸１０の上端部を嵌合させた状態で、操作部材３を持ち上げると、伸縮部材４が無回転のまま伸長する。この伸長状態で、再度、操作部材３を押下させると、上記した動作が繰り返され、水平回転時の遠心力により、繊維束６の水分が水切り籠１１の孔を通ってバケツ本体９内に貯留され、繊維束６の水切りが行われる。
【００２５】
このように上記した本発明の実施の形態に係る清掃用具によれば、モップ１の繊維束６を絞る際に、足踏み板を踏み込む動作を行う必要ないため、使用者の足が疲労することがなく、使用者の労力の軽減化を図ると共に、使用勝手の向上を図ることができる。
【００２６】
なお、上記した本発明の実施の形態の説明は、本発明に係る清掃用具における好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００２７】
１          モップ
２          水切りバケツ
３          操作部材
４          伸縮部材
５          ヘッド保持部材
６          繊維束
７          把持部
８          固定部材
９          バケツ本体
１０        回転軸
１１        水切り籠
【図１】
2012081209.tif 000003
【図２】
2012081209.tif 000004
【図３】
2012081209.tif 000005
【図４】
2012081209.tif 000006